(57)【要約】【課題】シート媒体に形成された複数の切り込み部の配列方向の左右いずれの方向から、複数の切り込み部の配列方向に対して斜めの方向に力を加えてシート媒体を分離する場合でも、シート媒体が予定しない領域にて切断されて紙むけ等が生じることを回避する。【解決手段】複数の切り込み部１８が一方向に配列して設けられ、複数の切り込み部１８のそれぞれが、切り込み部１８の配列方向に延びた主切り込み線１６ａと、主切り込み線の１６ａ一方の端部に丸みを帯びて繋がり、主切り込み線の１６ａに対して略垂直の方向に延びた副切り込み線１６ｂと、副切り込み線１６ｂの主切り込み線１６ａとは反対側の端部に繋がり、この端部から、主切り込み線１６ａが副切り込み線１６ｂから延びる方向とは反対方向に延びた副切り込み線１６ｃとを有し、切り込み部１８の主切り込み線１６ａ側の端部が、隣接する切り込み部１８の副切り込み線１６ｂの直線部分に対向している。【選択図】図２
2018001665.tif 000002
【特許請求の範囲】
【請求項１】
シート媒体に複数の切り込み部が一方向に配列して設けられ、前記複数の切り込み部が繋がることにより当該切り込み部を挟んだ２つの領域に前記シート媒体が分離される分離構造において、
前記複数の切り込み部のそれぞれは、
前記一方向に延びた主切り込み線と、
前記主切り込み線の一方の端部に丸みを帯びて繋がり、前記一方向に対して略垂直の方向に延びた第１の副切り込み線と、
前記第１の副切り込み線の前記主切り込み線とは反対側の端部に繋がり、当該端部から、前記主切り込み線が前記第１の副切り込み線から延びる方向とは反対方向に延びた第２の副切り込み線とを有し、
前記切り込み部の前記主切り込み線側の端部が、隣接する切り込み部の前記第１の副切り込み線の直線部分に前記一方向にて対向している、分離構造。
【発明の詳細な説明】
【技術分野】
【０００１】
本発明は、シート媒体に一方向に配列された複数の切り込み部を用いてシート媒体を２つの領域に分離する分離構造に関する。
【背景技術】
【０００２】
従来、紙等のシート媒体を破断して複数の領域に分離する分離構造として、直線からなる複数の切り込み部が一方向に配列されたミシン目が用いられている。このようなミシン目は、複数の切り込み部がそれぞれ配列方向に延びた直線形状となっており、シート媒体のミシン目を挟んだ一方の領域を複数の切り込み部の配列方向に引っ張ることにより、複数の切り込み部が繋がり、シート媒体を複数の領域に分離することができる。
【０００３】
近年、このような切り込み部の形状を工夫することにより、複数の切り込み部からなる分離構造を用いてシート媒体を複数の領域に分離した場合に、分離構造に沿わない領域にてシート媒体が切断されて紙むけ等が生じることを回避する構成が考えられている。
【０００４】
例えば、特許文献１には、箱体に複数の切り込み部が一方向に配列された構成において、複数の切り込み部のそれぞれが、複数の切り込み部の配列方向に延びた直線部分と、その一端にこの直線部分に対して垂直となる短小切れ目とから構成されてなる分離構造が開示されている。この分離構造によれば、短小切れ目側から複数の切り込み部の配列方向に力を加えて箱体を分離していく際、切り込み部の直線部分からの破断部分が、複数の切り込み部の配列方向から若干ずれた場合でも、その破断部分が隣接する切り込み部の短小切れ目に繋がることになり、それにより、分離構造に沿わない領域にてシート媒体が切断されて紙むけ等が生じることを回避することができる。
【０００５】
また、特許文献１には、上述した複数の切り込み部として、複数の切り込み部の配列方向に延びた直線部分の両端部を同一方向に斜めに屈曲させてなる分離構造が開示されている。この分離構造によれば、複数の切り込み部の配列方向の左右いずれの方向から力を加えて箱体を分離していく場合であっても、切り込み部の端部からの破断部分が、複数の切り込み部の配列方向から若干ずれた場合に、その破断部分が隣接する切り込み部に繋がることになり、それにより、分離構造に沿わない領域にてシート媒体が切断されて紙むけ等が生じることを回避することができる。
【先行技術文献】
【特許文献】
【０００６】
【特許文献１】特開２００３−２９１９６０号公報
【発明の概要】
【発明が解決しようとする課題】
【０００７】
ところで、上述したような複数の切り込みが一方向に配列されてなる分離構造を用いて分離されるシート媒体においては、特許文献１に開示された箱体のように、複数の切り込み部の配列方向に力を加えて分離するものに限らない。例えば、複数の切り込み部が配列してなる分離構造によって配達票が分離可能に区画形成された配送伝票においては、複数の切り込み部を繋げることで配達票を分離する際、例えば、配達票の角部に設けられたコーナーカット等を摘み代として、複数の切り込み部の配列方向に対して斜めの方向に力を加えて分離していくことになる。
【０００８】
しかしながら、特許文献１に開示されたもののように、複数の切り込み部の配列方向に延びた直線部分の両端部を同一方向に斜めに屈曲させてなる分離構造においては、複数の切り込み部の配列方向の左右いずれの方向から、複数の切り込み部の配列方向に力を加えて箱体を分離していく場合にはシート媒体が分離構造に沿わない領域にて切断されて紙むけ等が生じることを回避することができるものの、複数の切り込み部の配列方向に対して斜めの方向に力を加えてシート媒体を分離しようとした場合、切り込み部の端部からの破断部分が、隣接する切り込み部に繋がらずに複数の切り込み部の配列方向からずれていき、それにより、分離構造に沿わない領域が破断して紙むけ等が生じてしまう虞がある。
【０００９】
本発明は、上述したような従来の技術が有する問題点に鑑みてなされたものであって、シート媒体に一方向に配列された複数の切り込み部を用いてシート媒体を２つの領域に分離する分離構造において、複数の切り込み部の配列方向の左右いずれの方向から、複数の切り込み部の配列方向に対して斜めの方向に力を加えてシート媒体を分離する場合でも、シート媒体が予定しない領域にて切断されて紙むけ等が生じることを回避することができる分離構造を提供することを目的とする。
【課題を解決するための手段】
【００１０】
上記目的を達成するために本発明は、
シート媒体に複数の切り込み部が一方向に配列して設けられ、前記複数の切り込み部が繋がることにより当該切り込み部を挟んだ２つの領域に前記シート媒体が分離される分離構造において、
前記複数の切り込み部のそれぞれは、
前記一方向に延びた主切り込み線と、
前記主切り込み線の一方の端部に丸みを帯びて繋がり、前記一方向に対して略垂直の方向に延びた第１の副切り込み線と、
前記第１の副切り込み線の前記主切り込み線とは反対側の端部に繋がり、当該端部から、前記主切り込み線が前記第１の副切り込み線から延びる方向とは反対方向に延びた第２の副切り込み線とを有し、
前記切り込み部の前記主切り込み線側の端部が、隣接する切り込み部の前記第１の副切り込み線の直線部分に前記一方向にて対向している。
【００１１】
上記のように構成された本発明においては、複数の切り込み部が繋がることにより分離される２つの領域のうち第１の副切り込み線の主切り込み線と繋がる端部側の領域を、切り込み部の第２の副切り込み線側から、複数の切り込み部の配列方向に対して当該領域の方向に斜めに引っ張るようにして力を加えてシート媒体を２つの領域に分離していく場合は、分離部分が、まず、第２の副切り込み線、第１の副切り込み線及び主切り込み線を介して、主切り込み線側の端部に達することになる。そして、主切り込み線側の端部からシート媒体が破断していくことになるが、シート媒体には、複数の切り込み部の配列方向に対して、第１の副切り込み線の主切り込み線と繋がる端部側の領域の方向に斜めに力が加えられていることから、その破断部分は、複数の切り込み部の配列方向に対して当該領域側に斜めに向かっていく。ところが、主切り込み線側の端部が、隣接する切り込み部の第１の副切り込み線の直線部分に対向しており、かつ、第１の副切り込み線が、複数の切り込み部の配列方向に対して略垂直の方向に延びたものであるため、主切り込み線側の端部からのシート媒体の破断部分が、複数の切り込み部の配列方向に対して斜めに向かったとしても、隣接する切り込み部の第１の副切り込み線に繋がりやすくなっている。それにより、複数の切り込み部が繋がってシート媒体が分離することとなり、シート媒体が分離構造に沿わない領域にて切断されて紙むけ等が生じることが回避される。
【００１２】
また、複数の切り込み部が繋がることにより分離される２つの領域のうち第１の副切り込み線の主切り込み線と繋がる端部側の領域を、切り込み部の主切り込み線側から、複数の切り込み部の配列方向に対して当該領域の方向に斜めに引っ張るようにして力を加えてシート媒体を２つの領域に分離していく場合は、分離部分が、まず、主切り込み線、第１の副切り込み線及び第２の副切り込み線を介して、第２の副切り込み線の端部に達することになる。そして、第２の副切り込み線の第１の副切り込み線とは反対側の端部からシート媒体が破断していくことになるが、シート媒体には、複数の切り込み部の配列方向に対して、第１の副切り込み線の主切り込み線と繋がる端部側の領域の方向に斜めに力が加えられていることから、その破断部分は、複数の切り込み部の配列方向に対して当該領域側に斜めに向かっていく。ところが、第２の副切り込み線が、第１の副切り込み線の主切り込み線とは反対側の端部に繋がり、その端部から、主切り込み線が第１の副切り込み線から延びる方向とは反対方向に延びたものであるとともに、切り込み部の主切り込み線側の端部が、隣接する切り込み部の第１の副切り込み線の直線部分に複数の切り込み部の配列方向にて対向していることにより、第２の副切り込み線の第１の副切り込み線とは反対側の端部から斜めに向かう方向には、隣接する切り込み部の主切り込み線が存在することになり、それにより、第２の切り込み線の端部からのシート媒体の破断部分が、隣接する切り込み部の主切り込み線に繋がる。それにより、複数の切り込み部が繋がってシート媒体が分離することとなり、シート媒体が分離構造に沿わない領域にて切断されて紙むけ等が生じることが回避される。
【発明の効果】
【００１３】
本発明によれば、複数の切り込み部が繋がることにより分離される２つの領域のうち第１の副切り込み線の主切り込み線と繋がる端部側の領域を、切り込み部の第２の副切り込み線側から、複数の切り込み部の配列方向に対して当該領域の方向に斜めに引っ張るようにして力を加えてシート媒体を分離していく場合は、分離部分が、第２の副切り込み線、第１の副切り込み線及び主切り込み線を介して、主切り込み線側の端部に達した後、切り込み部の主切り込み線側の端部からのシート媒体の破断部分が、隣接する切り込み部の第１の副切り込み線に繋がり、また、複数の切り込み部が繋がることにより分離される２つの領域のうち第１の副切り込み線の主切り込み線と繋がる端部側の領域を、切り込み部の主切り込み線側から、複数の切り込み部の配列方向に対して当該領域の方向に斜めに引っ張るようにして力を加えてシート媒体を分離していく場合は、分離部分が、主切り込み線、第１の副切り込み線及び第２の副切り込み線を介して、第２の副切り込み線の端部に達した後、第２の副切り込み線の端部からのシート媒体の破断部分が、隣接する切り込み部の主切り込み線に繋がることになるため、シート媒体に一方向に配列された複数の切り込み部を用いてシート媒体を２つの領域に分離する分離構造において、複数の切り込み部の配列方向の左右いずれの方向から斜めの方向に力を加えてシート媒体を分離する場合でも、シート媒体が予定しない領域にて切断されて紙むけ等が生じることを回避することができる。
【図面の簡単な説明】
【００１４】
【図１】本発明の分離構造の実施の一形態を適用した配送ラベルを示す図であり、（ａ）は表面図、（ｂ）は（ａ）に示したＡ−Ａ’断面図である。
【図２】図１に示したジッパーの一構成を示す図である。
【図３】図１に示した配送ラベルの使用方法を説明するための図である。
【図４】図１に示した配送ラベルにおいて配達票の予備片側の一方の角部を分離開始端として配達票を配送ラベルから分離していく際のジッパーの破断の様子を示す図である。
【図５】図１に示した配送ラベルにおいて配達票の予備片側の他方の角部を分離開始端として配達票を配送ラベルから分離していく際のジッパーの破断の様子を示す図である。
【図６】図１に示したジッパーの変形例を示す図である。
【発明を実施するための形態】
【００１５】
以下に、本発明の実施の形態について図面を参照して説明する。
【００１６】
図１は、本発明の分離構造の実施の一形態を適用した配送ラベルを示す図であり、（ａ）は表面図、（ｂ）は（ａ）に示したＡ−Ａ’断面図である。
【００１７】
本形態は図１に示すように、剥離台紙２０上に、ＰＰ（ポリプロピレン）等からなるフィルムシート３０と、インクジェット紙等からなる伝票用紙１０とが積層されて構成されている。伝票用紙１０とフィルムシート３０とは、剥離台紙２０よりも一回り小さな同一形状を有し、例えば押し出しラミネートによって剥離可能に接着されている。フィルムシート３０の伝票用紙１０との接着面とは反対側の面には、アクリルエマルジョン糊からなる粘着剤４０が塗布されており、それにより、フィルムシート３０は剥離台紙２０に剥離可能に接着されている。
【００１８】
伝票用紙１０は、一方の長辺から他方の長辺に向かって並行する２本のスリット１４ａ，１４ｂと本発明の分離構造となる１本のジッパー１５とが形成されており、このスリット１４ａ，１４ｂとジッパー１５とにより、貼付票１１、予備片１３ａ、配達票１２及び予備片１３ｂの４つの領域に分離可能に構成されている。具体的には、貼付票１１と予備片１３ａとが、スリット１４ａを介して分離可能に連接し、予備片１３ａと配達票１２とが、スリット１４ｂを介して分離可能に連接し、配達票１２と予備片１３ｂとが、ジッパー１５を介して分離可能に連接している。
【００１９】
貼付票１１及び配達票１２のそれぞれには、この配送ラベルが貼付されて配送される配送物の配送先の住所や氏名あるいは名称、品名等の配送情報を印字または記入するための配送情報表示領域１１ａ，１２ａが設けられており、配達票１２にはさらに、配送物の配送先にて受領印を押下するための押印領域１２ｂが設けられている。
【００２０】
図２は、図１に示したジッパー１５の一構成例を示す図である。
【００２１】
図１に示したジッパー１５は図２に示すように、複数の切り込み部１８が、ジッパー１５が延びる方向に配列されて構成されている。なお、図２においては、１つの切り込み部１８についてしか符号を付していないが、複数の切り込み部１８の構成は互いに同一のものである。
【００２２】
複数の切り込み部１８のそれぞれは、図２に示すように、一対の切り込み構成部１６，１７から構成されている。切り込み構成部１６は、複数の切り込み部１８の配列方向に延びた主切り込み線１６ａと、主切り込み線１６ａの図中左側の端部に丸みを帯びて繋がり、複数の切り込み部１８の配列方向に対して垂直の方向に予備片１３ｂに向かって延びた第１の副切り込み線１６ｂと、副切り込み線１６ｂの主切り込み線１６ａとは反対側の端部に繋がり、この端部から、主切り込み線１６ａが副切り込み線１６ｂから延びる方向とは反対方向となる図中左方向に延び、その端部が、隣接する切り込み部１８の主切り込み線１６ａに向かって斜めに屈曲した第２の副切り込み線１６ｃとから構成されている。切り込み構成部１７は、主切り込み線１６ａの一部と配達票１２側にて並行する切り込み線１７ｂと、切り込み線１７ｂの図中右側の端部から、隣接する切り込み部１８の副切り込み線１６ｂに向かって斜めに延びた切り込み線１７ａとから構成されており、切り込み線１７ａの切り込み線１７ｂとは反対側の端部が、隣接する切り込み部１８の副切り込み線１６ｂの直線部分に複数の切り込み部１８の配列方向にて対向している。これにより、切り込み部１８は、副切り込み線１６ｂ，１６ｃよりも主切り込み線１６ａ側の端部が、隣接する切り込み部１８の副切り込み線１６ｂの直線部分に複数の切り込み部１８の配列方向にて対向していることになる。なお、副切り込み線１６ｂが延びる方向は、複数の切り込み部１８の配列方向に対して垂直に限らず、垂直に対して若干ずれたものも含めて略垂直であればよい。
【００２３】
以下に、上記のように構成された配送ラベルの使用方法及びその際の作用について説明する。
【００２４】
図３は、図１に示した配送ラベルの使用方法を説明するための図である。
【００２５】
上記のように構成された配送ラベルは、配送情報表示領域１１ａ，１２ａに配送物の配送先の住所や氏名あるいは名称、品名等の配送情報が印字または記入された後、配送物に貼付するために剥離台紙２０が剥離される。すると、フィルムシート３０に塗布された粘着剤４０が表出し、図３（ａ）に示すように、表出した粘着剤４０によって配送ラベルが被着体である配送物２に貼付される。配送ラベルが貼付された配送物２は、配送情報表示領域１１ａ，１２ａに印字または記入された配送情報１１ｃ，１２ｃに従って配送先に配送されていく。
【００２６】
配送物２が配送先に届けられると、図３（ｂ）に示すように、押印領域１１ｂに受領印１２ｄが押下され、その後、配達票１２が配送ラベルから分離されていく。配達票１２を配送ラベルから分離する場合は、配達票１２の予備片１３ｂ側の左右いずれか一方の角部を分離開始端として摘み、この角部に対して対角方向となる角部に向かって斜めの方向に引っ張るようにして配達票１２をフィルムシート３０から剥離しながら配送ラベルから分離していく。その際、配達票１２は、予備片１３ａ側がスリット１４ｂを介して予備片１３ａと分離可能に連接しているとともに、予備片１３ｂ側がジッパー１５を介して予備片１３ｂと連接しているため、ジッパー１５を破断させていくことで、配送ラベルから分離していくことになる。
【００２７】
図４は、図１に示した配送ラベルにおいて配達票１２の予備片１３ｂ側の一方の角部を分離開始端として配達票１２を配送ラベルから分離していく際のジッパー１５の破断の様子を示す図である。
【００２８】
図１に示した配送ラベルにおいて、配達票１２の予備片１３ｂ側の図中左側の角部を分離開始端として摘み、図４中矢印で示すように、配達票１２の分離開始端に対して対角方向となる角部に向かって斜めの方向に引っ張るようにして配達票１２を配送ラベルから分離していくと、図４（ａ）に示すように、ジッパー１５を構成する複数の切り込み部１８において、副切り込み線１６ｃ側からジッパー１５が破断していくこととなる。
【００２９】
まず、伝票用紙１０が、配達票１２と予備片１３ｂとの間において、副切り込み線１６ｃ、副切り込み線１６ｂ及び主切り込み線１６ａによって分離し、その分離部分が、主切り込み線１６ａの副切り込み線１６ｂとは反対側の端部に達する。この際、主切り込み線１６ａは、その延びる方向が副切り込み線１６ｂの延びる方向に対して垂直となっているものの、丸みを帯びて副切り込み線１６ｂに繋がっているため、副切り込み線１６ｂと主切り込み線１６ａとが繋がる部分から、配達票１２を引っ張る方向に伝票用紙１が破断してしまうことがなく、配達票１２と予備片１３ｂとの分離部分が、副切り込み線１６ｂから主切り込み線１６ａにスムーズに繋がることになる。
【００３０】
配達票１２と予備片１３ｂとの分離部分が、主切り込み線１６ａの副切り込み線１６ｂとは反対側の端部に達すると、図４（ａ）に示すように、伝票用紙１０が、主切り込み線１６ａの副切り込み線１６ｂとは反対側の端部から配達票１２を引っ張る方向に破断していくことになるが、その方向には切り込み部１８の切り込み線１７ａが存在するため、図４（ｂ）に示すように、その破断部分１９ａが切り込み線１７ａに繋がることになる。
【００３１】
そして、伝票用紙１０の配達票１２と予備片１３ｂとの分離部分が、切り込み線１７ａの切り込み線１７ｂとは反対側の端部に達する。
【００３２】
配達票１２と予備片１３ｂとの分離部分が、切り込み線１７ａの切り込み線１７ｂとは反対側の端部に達すると、図４（ｃ）に示すように、伝票用紙１０が、切り込み線１７ａの切り込み線１７ｂとは反対側の端部から配達票１２を引っ張る方向に破断していくことになる。ここで、本形態における切り込み部１８は、切り込み線１７ａの切り込み線１７ｂとは反対側の端部が、隣接する切り込み部１８の副切り込み線１６ｂの直線部分に複数の切り込み部１８の配列方向にて対向しており、副切り込み線１６ｂが、複数の切り込み部１８の配列方向に対して垂直の方向に延びたものとなっている。そのため、副切り込み線１６ｂが複数の切り込み部１８の配列方向に対して配達票１２を引っ張る方向に斜めに延びたものに対して、伝票用紙１０が、切り込み線１７ａの切り込み線１７ｂとは反対側の端部から配達票１２を引っ張る方向に破断していった場合でも、図４（ｄ）に示すように、その破断部分１９ｂが、隣接する切り込み部１８の副切り込み線１６ｂに繋がりやすくなっており、それにより、切り込み線１７ａと副切り込み線１６ｂとが破断部分１９ｂによって繋がることになる。
【００３３】
このようにして、複数の切り込み部１８が繋がっていくことでジッパー１５が破断されていき、配達票１２と予備片１３ｂとが分離するとともに、配達票１２がスリット１４ｂによって予備片１３ａから分離し、図３（ｃ）に示すように、配達票１２が配送ラベルから分離されることになる。その際、上記のように、伝票用紙１０の破断部分が複数の切り込み部１８の配列方向に対して配達票１２側に斜めに向かった場合でも複数の切り込み部１８が繋がることで、伝票用紙１０の破断部分がジッパー１５から逸れてしまうことがなく、伝票用紙１０がジッパー１５に沿わない領域にて切断されて紙むけ等が生じることが回避される。
【００３４】
図５は、図１に示した配送ラベルにおいて配達票１２の予備片１３ｂ側の他方の角部を分離開始端として配達票１２を配送ラベルから分離していく際のジッパー１５の破断の様子を示す図である。
【００３５】
図１に示した配送ラベルにおいて、配達票１２の予備片１３ｂ側の図中右側の角部を分離開始端として摘み、図５中矢印で示すように、配達票１２の分離開始端に対して対角方向となる角部に向かって斜めの方向に引っ張るようにして配達票１２を配送ラベルから分離していくと、図５（ａ）に示すように、ジッパー１５を構成する複数の切り込み部１８において、主切り込み線１６ａ側からジッパー１５が破断していくこととなる。
【００３６】
まず、図５（ａ）に示すように、伝票用紙１０が、配達票１２と予備片１３ｂとの間において、主切り込み線１６ａ、副切り込み線１６ｂ及び副切り込み線１６ｃによって分離し、その分離部分が、副切り込み線１６ｃの副切り込み線１６ｂとは反対側の端部に達する。この際、副切り込み線１６ｂは、その延びる方向が主切り込み線１６ａの延びる方向に対して垂直となっているものの、丸みを帯びて主切り込み線１６ａに繋がっているため、主切り込み線１６ａと副切り込み線１６ｂとが繋がる部分から、配達票１２を引っ張る方向に伝票用紙１が破断してしまうことがなく、配達票１２と予備片１３ｂとの分離部分が、主切り込み線１６ａから副切り込み線１６ｂにスムーズに繋がることになる。
【００３７】
配達票１２と予備片１３ｂとの分離部分が、副切り込み線１６ｃの副切り込み線１６ｂとは反対側の端部に達すると、図５（ｂ）に示すように、伝票用紙１０が、副切り込み線１６ｃの副切り込み線１６ｂとは反対側の端部から配達票１２を引っ張る方向に破断していくことになる。ところが、副切り込み線１６ｃが、副切り込み線１６ｂの主切り込み線１６ａとは反対側の端部に繋がり、その端部から、主切り込み線１６ａが副切り込み線１６ｂから延びる方向とは反対方向に延びたものであるとともに、隣接する切り込み部１８の主切り込み線１６ａ側の端部となる切り込み線１７ａの端部が、副切り込み線１６ｂの直線部分に複数の切り込み部１８の配列方向にて対向していることにより、副切り込み線１６ｃの端部から配達票１２を引っ張る方向には、隣接する切り込み部１８の主切り込み線１６ａが存在することになるため、図５（ｃ）に示すように、その破断部分１９が主切り込み線１６ａに繋がることになる。この際、本形態の副切り込み線１６ｃが、副切り込み線１６ｂとは反対側の端部が、隣接する切り込み部１８の主切り込み線１６ａに向かって斜めに屈曲していることにより、伝票用紙１０の破断部分１９が、隣接する切り込み部１８の主切り込み線１６ａに向かいやすくなる。
【００３８】
このようにして、配達票１２の予備片１３ｂ側の図中右側の角部を分離開始端とした場合でも、複数の切り込み部１８が繋がっていくことでジッパー１５が破断されていき、配達票１２と予備片１３ｂとが分離するとともに、配達票１２がスリット１４ｂによって予備片１３ａから分離し、図３（ｃ）に示すように、配達票１２が配送ラベルから分離されることになる。その際、上記のように、伝票用紙１０の破断部分が複数の切り込み部１８の配列方向に対して配達票１２側に斜めに向かった場合でも複数の切り込み部１８が繋がることで、伝票用紙１０の破断部分がジッパー１５から逸れてしまうことがなく、伝票用紙１０がジッパー１５に沿わない領域にて切断されて紙むけ等が生じることが回避される。
【００３９】
このように、本形態のジッパー１５を用いることにより、切り込み部１８の副切り込み線１６ｃ側から、複数の切り込み部１８の配列方向に対して斜めの方向に配達票１２を引っ張るようにして力を加えて伝票用紙１０を配達票１２と予備片１３ｂとの間にて分離していく場合は、伝票用紙１０の分離部分が、副切り込み線１６ｃ、副切り込み線１６ｂ及び主切り込み線１６ａを介して、主切り込み線１６ａの副切り込み線１６ｂとは反対側の端部に達した後、その端部からの破断部分が切り込み線１７ａに繋がり、その後、この切り込み線１７ａの端部からの破断部分が、隣接する切り込み部１８の副切り込み線１６ｂに繋がることとなり、また、切り込み部１８の主切り込み線１６ａ側から、複数の切り込み部１８の配列方向に対して斜めの方向に配達票１２を引っ張るようにして力を加えて伝票用紙１０を配達票１２と予備片１３ｂとの間にて分離していく場合は、伝票用紙１０の分離部分が、主切り込み線１６ａ、副切り込み線１６ｂ及び副切り込み線１６ｃを介して、副切り込み線１６ｃの端部に達した後、副切り込み線１６ｃの端部からの伝票用紙１０の破断部分が、隣接する切り込み部１８の主切り込み線１６ａに繋がることになるため、伝票用紙１０に一方向に配列された複数の切り込み部１８を用いて伝票用紙１０を複数の領域に分離するジッパー１５において、複数の切り込み部１８の配列方向の左右いずれの方向から、複数の切り込み部１８の配列方向に対して斜めの方向に力を加えて伝票用紙１０を分離する場合でも、伝票用紙１０が予定しない領域にて切断されて紙むけ等が生じることを回避することができる。またその際、上述したように、副切り込み線１６ｂが、複数の切り込み部１８の配列方向に対して垂直の方向に延びたものとなっていることにより、副切り込み線１６ｂが複数の切り込み部１８の配列方向に対して図３中左下側から配達票１２を引っ張る方向に斜めに延びたものに対して、切り込み線１７ａの切り込み線１７ｂとは反対側の端部からの破断部分が、隣接する切り込み部１８の副切り込み線１６ｂに繋がりやすくなっている。そのため、副切り込み線１６ｂが複数の切り込み部１８の配列方向に対して配達票１２を引っ張る方向に斜めに延びたものに対して、切り込み部１０の主切り込み線１６ａ側の端部となる、切り込み線１７ａの切り込み線１７ｂとは反対側の端部と、隣接する切り込み部１８の副切り込み線１６ｂとの間隔を広く、かつ、主切り込み線１６ａの長さを短くすることができ、それにより、ジッパー１５を複数の切り込み部１８を繋げて破断しやすくしながらも、ジッパー部１５が不用意に破断してしまうことを回避できる。
【００４０】
なお、図１に示したジッパー１５としては、ジッパー１５を構成し、互いに繋がることでシート媒体を２つの領域に分離する複数の切り込み部が、ジッパー１５が延びる方向に配列して設けられ、複数の切り込み部のそれぞれが、複数の切り込み部の配列方向に延びた主切り込み線と、主切り込み線の一方の端部に丸みを帯びて繋がり、複数の切り込み部の配列方向に対して略垂直の方向に延びた第１の副切り込み線と、第１の副切り込み線の主切り込み線とは反対側の端部に繋がり、この端部から、主切り込み線が第１の副切り込み線から延びる方向とは反対方向に延びた第２の副切り込み線とを有し、切り込み部の主切り込み線側の端部が、隣接する切り込み部の第１の副切り込み線の直線部分に、複数の切り込み部の配列方向にて対向しているものであれば、図２に示したものに限らない。
【００４１】
図６は、図１に示したジッパー１５の変形例を示す図である。
【００４２】
例えば図６（ａ）に示すように、図２に示した主切り込み線１６ａと切り込み線１７ｂとが一体化して主切り込み線１１６ａを構成したものであってもよい。
【００４３】
また、図６（ｂ）に示すように、図６（ａ）に示した構成においてさらに、第２の副切り込み線２１６ｃが、第１の副切り込み線２１６ｂと繋がった端部から、主切り込み線１１６ａが副切り込み線１１６ｂから延びる方向とは反対方向に延びているものの、その端部が、隣接する切り込み部１１８の主切り込み線１１６ａに向かって斜めに屈曲していないものであってもよい。
【００４４】
また、図６（ｃ）に示すように、図６（ａ）に示した構成においてさらに、第２の副切り込み線２１６ｃが、第１の副切り込み線２１６ｂと繋がった端部から、主切り込み線２１６ａが副切り込み線２１６ｂから延びる方向とは反対方向において、隣接する切り込み部２１８の主切り込み線２１６ａに向かって屈曲せずに斜めに向かっているものであってもよい。
【符号の説明】
【００４５】
２    配送物
１０    伝票用紙
１１    貼付票
１１ａ，１２ａ    配送情報表示領域
１１ｃ，１２ｃ    配送情報
１２    配達票
１２ｂ    押印領域
１２ｄ    受領印
１３ａ，１３ｂ    予備片
１４ａ，１４ｂ    スリット
１５    ジッパー
１６，１７    切り込み構成部
１６ａ，１１６ａ，２１６ａ，３１６ａ    主切り込み線
１６ｂ，１６ｃ，１１６ｂ，１１６ｃ，２１６ｂ，２１６ｃ，３１６ｂ，３１６ｃ    副切り込み線
１７ａ，１７ｂ，１１７，２１７，３１７    切り込み線
１８，１１８，２１８，３１８    切り込み部
１９，１９ａ，１９ｂ    破断部分
２０    剥離台紙
３０    フィルムシート
４０    粘着剤
【図１】
2018001665.tif 000003
【図２】
2018001665.tif 000004
【図３】
2018001665.tif 000005
【図４】
2018001665.tif 000006
【図５】
2018001665.tif 000007
【図６】
2018001665.tif 000008